(57)【要約】【課題】垂直方向および水平方向へのズレを防止することが可能な表示装置を提供する。【解決手段】窓部１１を備えた前面パネル１と、前面パネル１が組み込まれた上ケース２と、窓部１１から視認される位置に配置された液晶表示器３と、液晶表示器３が配置される回路基板５と、回路基板５が収納される下ケース６と、を備え、上ケース２は、液晶表示器３に向かって突出した突出部２１を備え、液晶表示器３は、突出部２１との間に緩衝部材４が介在されていることによって、液晶表示器３が垂直方向および水平方向にずれてしまうのを防ぐことが可能となる。【選択図】  図１
2014098877.tif 000002
【特許請求の範囲】
【請求項１】
窓部を備えた前面パネルと、前面パネルが組み込まれた上ケースと、前記窓部から視認される位置に配置された表示器と、前記表示器が配置される回路基板と、前記回路基板が収納される下ケースと、を備え、
前記上ケースは、前記表示器に向かって突出した突出部を備え、
前記表示器と前記突出部との間に緩衝部材が介在されていることを特徴とする表示装置。
【請求項２】
前記緩衝部材は、前記表示器の縁部に当接する当接面を有した平板状部材であり、前記当接面が前記縁部を垂直方向および水平方向に押圧することを特徴とする請求項１に記載の表示装置。
【請求項３】
前記突起部は、前記緩衝部材の前記当接面と対向する面が当着する凹部を有することを特徴とする請求項１および２に記載の表示装置。
【発明の詳細な説明】
【技術分野】
【０００１】
本発明は、緩衝部材により表示装置を固定する構造に関するものである。
【背景技術】
【０００２】
従来の表示装置は、窓部を有した上ケースと、窓部から視認できる位置に配置された表示器と、表示器が収納される下ケースと、を有したものが知られている。
【先行技術文献】
【特許文献】
【０００３】
【特許文献１】特開２００５−７４５５４号公報
【発明の概要】
【発明が解決しようとする課題】
【０００４】
しかしながら、このような表示装置は、表示器を上ケースにビスのみを用いて固定し、垂直方向および水平方向へのズレを防止する構造であるため、ビス止めする箇所に高い圧力がかかってしまい、上ケースが歪んでしまうという問題点があった。
【課題を解決するための手段】
【０００５】
そこで本発明は、窓部を備えた前面パネルと、前面パネルが組み込まれた上ケースと、前記窓部から視認される位置に配置された表示器と、前記表示器が配置される回路基板と、前記回路基板が収納される下ケースと、を備え、
前記上ケースは、前記表示器に向かって突出した突出部を備え、
前記表示器は、前記突出部との間に緩衝部材が介在されているものである。
【０００６】
また本発明は、前記緩衝部材は、前記表示器の縁部に当接する当接面を有した平板状部材であり、前記当接面が前記縁部を垂直方向および水平方向に押圧するものである。
【０００７】
また本発明は、前記突起部は、前記緩衝部材の前記当接面と対向する側の面が当着する凹部を有するものである。
【発明の効果】
【０００８】
本発明によれば、振動を伴う作業環境で使用される場合であっても、表示器の垂直方向および水平方向へのズレを防止することが可能な表示装置を提供することができる。
【図面の簡単な説明】
【０００９】
【図１】本発明の第１実施形態を示す表示装置の断面図。
【図２】同表示装置の液晶表示器の断面図。
【図３】同表示装置の緩衝部材の拡大図。
【発明を実施するための形態】
【００１０】
以下、本発明の実施形態に係る表示装置を添付の図面を参照して具体的に説明する。  
【００１１】
本願発明における表示装置は、例えば車両などに搭載されるものが知られている。車両用の表示装置は、窓部１１を備えた前面パネル１と、前面パネル１が組み込まれた上ケース２と、窓部１１から視認される位置に配置された液晶表示器３と、液晶表示器３が配置される回路基板５と、回路基板５が収納される下ケース６とから主に構成され、上ケース２と下ケース６とは、フック（図示せず）などによって係合されている。
【００１２】
前面パネル１は、光透過性の透明ガラスなどの窓部１１を設け、液晶表示器３の前面側を覆うものである。
【００１３】
上ケース２は、合成樹脂材料からなり、前面パネルがインサート成型されている。また、上ケース２には、液晶表示器３に向かって突出した突出部２１が一体成形されている。突出部２１には、後述する緩衝部材４が配置される凹部２２が成形されている。
【００１４】
液晶表示器３は、図２に示すように、透過型の液晶表示パネル３１と、この液晶表示パネル３１の背後に配置されたシート状の拡散板３２と、液晶表示パネル３１および拡散板３２が保持されるセルケース３３と、セルケース３３の背後に配置され液晶表示パネル３１および拡散板３２を背後から照明する光源としての発光ダイオード３４や液晶表示パネル３１を駆動させる回路（図示せず）などが実装された硬質の回路基板３５と、液晶表示パネル３１やセルケース３３を回路基板３５に固定するための金属製のセル抑え３６などを備えている。
【００１５】
セル抑え３６は、金属板をプレス加工したものであり、液晶表示パネル３１の周縁上面を連続的に覆い、セルケース３３の側壁に沿って回路基板３５側に延びる枠状の側部３６ａと上部３６ｂからなる。
【００１６】
緩衝部材４は、本実施形態の場合、平板状のスポンジ材を接着テープなどによって凹部２２に配置される。また、緩衝部材４は、液晶表示器３の縁部３６１に当接する当接面４１を有した平板状部材であり、縁部３６１に対して傾けて配置され、当接面４１が縁部３６１を垂直方向および水平方向に押圧する。このように、緩衝部材４を平板状にすることによって、厚さが一定なので、組み付けの際、突出部２１によって押される圧力を一定にすることができる。
【００１７】
また、緩衝部材４は、液晶表示器３の周囲の縁部であって、対向する４辺に設けられている。それぞれの辺は、互いに接触することなく配置されるのが好ましい。これには、密着して配置した場合、通気がされなくなり、前面パネル１が曇るのを防ぐ効果がある。
【００１８】
なお、本実施形態では、セル抑え３６と突出部２１との間に緩衝部材４が介在されている例を説明したが、セル抑え３６がなくとも、液晶表示器３の縁部３６１が緩衝部材４によって押圧されていればよい。
【００１９】
このように本願発明の表示装置は、窓部１１を備えた前面パネル１と、前面パネル１が組み込まれた上ケース２と、窓部１１から視認される位置に配置された液晶表示器３と、液晶表示器３が配置される回路基板５と、回路基板５が収納される下ケース６と、を備え、上ケース２は、液晶表示器３に向かって突出した突出部２１を備え、液晶表示器３は、突出部２１との間に緩衝部材４が介在されていることによって、液晶表示器３が垂直方向および水平方向にずれてしまうのを防ぐことが可能となる。
【００２０】
また、本願発明の表示装置は、緩衝部材４は、液晶表示器３の縁部３６に当接する当接面４１を有した平板状部材であり、当接面４１が縁部３６１を垂直方向および水平方向に押圧することによって、液晶表示器３を確実に固定することができる。
【００２１】
また、本願発明の表示装置は、突起部２１は、緩衝部材４の当接面４１と対向する面が当着する凹部２２を有することによって、工程を簡素化することができる。
【００２２】
なお、本実施形態では、上ケース２を裏返した状態から液晶表示器３を組み付ける構造となっているため、例えばＬ字型の緩衝部材４では液晶表示器３の縁部３６１に緩衝部材４を嵌め込む工程が複雑であったが、本願発明では、液晶表示器３の縁部３６１は、緩衝部材４の面に当接するように配置すればよいので、さらに工程を簡素化することができる。
【００２３】
なお、本実施形態では、上ケース２に配置した液晶表示器３が、上ケース２と下ケース６とを組み付ける際に押し当てられる構造を想定しているが、液晶表示器３の固定は、ビスによって上ケース２、下ケース３または中ケースなどに固定されていても、緩衝部材４を用いて液晶表示器３の垂直方向および水平方向へのズレを防止することが可能である。
【符号の説明】
【００２４】
１    前面パネル
２    上ケース
３    液晶表示器
４    緩衝部材
５    回路基板
６    下ケース
１１  窓部
２１  突出部
２２  凹部
３３  セルケース
４１  当接面
３６１  縁部
【図１】
2014098877.tif 000003
【図２】
2014098877.tif 000004
【図３】
2014098877.tif 000005